(57)【要約】【課題】特に化粧品である物質の供給に関して、従来装置の問題を解決した、新しい装置を提供すること。【解決手段】物質、特に化粧品を供給する装置であり、装置が、供給を目的とした構造体を有し、物質を処理すべき表面に送ることができるアプリケータと、物質を供給する前に、前記アプリケータを拭くワイパー部材とを任意に備え、前記構造体（１４）の少なくとも一部分及び／またはワイパー部材の内部に、任意の方向の磁界を発生させるまたは生じさせるのに適した、一つ以上の要素が配置されることを特徴とする装置。【選択図】図１
2006297165.tif 000002
【特許請求の範囲】
【請求項１】
物質、特に化粧品を供給する装置であり、装置が、供給を目的とした構造体を有し、物質を処理すべき表面に送ることができるアプリケータと、物質を供給する前に、前記アプリケータを拭くワイパー部材とを任意に備え、
前記構造体（１４；１４´；３５；５２；７２；８２；２６；１１２；１２０）の少なくとも一部分及び／またはワイパー部材（６３）の内部に、任意の方向の磁界を発生させるまたは生じさせるのに適した、一つ以上の要素（１６）が配置されることを特徴とする装置。
【請求項２】
前記一つ以上の要素が、一つ以上の磁石及び／または磁粒及び／または磁化可能な粒子によって、構成されることを特徴とする請求項１に記載の装置。
【請求項３】
容器を有し、アプリケータが物質を容器から得るために配置されることを特徴とする請求項１または２に記載の装置。
【請求項４】
アプリケータが、前記物質を構造体に汲み上げることができるように、配置されることを特徴とする請求項３に記載の装置。
【請求項５】
容器を具備し、前記構造体が、前記容器から、それを通過して出る物質を有するように、配置されることを特徴とする請求項１または２に記載の装置。
【請求項６】
前記構造体が、物質で予め充填されることを特徴とする請求項１〜５のいずれか一項に記載の装置。
【請求項７】
アプリケータが、シールエンベロープに収容されることを特徴とする請求項６に記載の装置。
【請求項８】
前記構造体及び／または、ワイパー部材には、少なくとも部分的に孔があることを特徴とする請求項１〜７のいずれか一項に記載の装置。
【請求項９】
前記構造体及び／または、ワイパー部材が、全体的に孔があることを特徴とする請求項８に記載の装置。
【請求項１０】
前記構造体及び／またはワイパー部材が、以下のリストから選ばれた材料、すなわち発泡体、スポンジ、焼結ブロック、自然または人工繊維の集合、織物または不織物繊維の少なくとも一つ、或いはその様な材料の組み合わせによって作られることを特徴とする請求項１〜９のいずれか一項に記載の装置。
【請求項１１】
前記構造体及び／またはワイパー部材が、連続気泡を少なくとも10％有する発泡体またはスポンジから成ることを特徴とする請求項１０に記載の装置。
【請求項１２】
前記構造体及び／またはワイパー部材が、表面上に粗さを有し、そして／またはフロック加工してあることを特徴とする請求項１〜１１のいずれか一項に記載の装置。
【請求項１３】
前記構造体が、特にオーバーモールド材料、熱シールまたは、接着剤によって、支持部に固定されることを特徴とする請求項１〜１２のいずれか一項に記載の装置。
【請求項１４】
前記支持部が、ハンドルとして働くことを特徴とする請求項１〜１３のいずれか一項に記載の装置。
【請求項１５】
前記支持部が、一つ以上の磁石及び／または一つ以上の磁粒を有することを特徴とする請求項１３または１４に記載の装置。
【請求項１６】
前記構造体及び／またはワイパー部材が、分散した磁粒を含むことを特徴とする請求項１〜１５のいずれか一向に記載の装置。
【請求項１７】
前記磁粒が、前記構造体または前記ワイパー部材を介して出て、実質的に均一に分散することを特徴とする請求項１６に記載の装置。
【請求項１８】
前記構造体及び／またはワイパー部材は、0.2〜80重量％の磁粒を有することを特徴とする請求項１〜１７のいずれか一項に記載の装置。
【請求項１９】
前記構造体及び／またはワイパー部材が、互いに組み合わされた複数の型式の多孔性材料（１０１、１０２）から成ることを特徴とする請求項１〜１８のいずれか一項に記載の装置。
【請求項２０】
前記構造体及び／またはワイパー部材が、異なる方向の磁界を生じさせるような方法で配置された、磁粒及び／または磁石を含むことを特徴とする請求項１〜１９のいずれか一項に記載の装置。
【請求項２１】
磁石及び／または磁化可能な粒子が、酸化に対してそれらを保護し、且つ／またはそれらの色を変えるのに適した材料でコーティングされることを特徴とする請求項１〜２０のいずれか一項に記載の装置。
【請求項２２】
組み込み型の一体構造であることをことを特徴とする請求項１〜２１のいずれか一項に記載の装置。
【請求項２３】
アプリケータまたは、アプリケータを拭くワイパー部材を製造する方法であり、
ａ）ワイパー部材またはアプリケータのアプリケータ構造体内に磁化可能な粒子を混入すること、
ｂ）前記構造体に任意の方向の磁界の少なくとも一つ発生させるために適切に、またはそれを前記構造体に発生させるように、前記粒子を磁界にさらすこと、
という段階から成ることを特徴とする方法。
【請求項２４】
磁化可能な粒子を磁化する磁界を、アプリケータの一部を形成する永久磁石によって、生じさせることを特徴とする請求項２３に記載の方法。
【発明の詳細な説明】
【技術分野】
【０００１】
本発明は物質、特に化粧品を身体の部位、または顔、あるいは髪の毛に塗ることに関する。
【背景技術】
【０００２】
化粧品に関して、一つかそれ以上の薬品を処理表面で混和することは、ますます一般的となっている。
【０００３】
例えば、しわ防止薬、或いは保湿剤がある。
【０００４】
特にその様な薬品の浸透を促進させる必要があり、それによって、それらの効果を強める。
【０００５】
ドイツ国特許明細書DE 4 325 071が微小循環を良好にするため磁粒（magnetic particle）を利用することを提案している。
【０００６】
以前の出願では、粒子がクリーム、ローションまたはゲル状で分配されるか、または包帯につけられている。
【０００７】
磁粒を使用するときに生じる問題は、それらが互いに凝集する傾向があるということである。
【０００８】
PCT特許明細書WO 92/14435は、頭部を有するマッサージ装置を開示しており、そこでは磁石を一体型にすることができる。
【０００９】
頭部は、物質で一定の濃さまで充填されてから、物質を処理される表面上に送ることが出来るようには、設計されてはいない。
【発明の開示】
【発明が解決しようとする課題】
【００１０】
本発明は、この問題を解決し、特に化粧品である物質を供給する新しい装置を提供することを目的としており、その装置は、供給を意図し且つ、物質を処理される表面上に送ることができる構造体と、また物質を供給する前に前記アプリケータを拭くワイパー部材とを補足的に有し、その装置は処理表面、例えば微小循環または代謝の別の状況に対し、有利な作用をもたらすように、磁界を利用できる。
【課題を解決するための手段】
【００１１】
本発明はこれを、前記構造体の少なくとも一部分及び／またはワイパー部材の内部に、任意の方向の磁界を発生させるかまたは、それに適した一つ以上の要素を配置することによって、達成することができる。
【発明を実施するための最良の形態】
【００１２】
一つ以上の要素は、一つ以上の磁石及び／または磁粒及び／または磁化可能な粒によって、構成され得る。
【００１３】
本供給手段において、供給構造体は、特に濃度が幾分か濃いか薄い場合に、供給のために物質で充填するのに適切で且つ、構造体が向きを変え、そして／または前記表面に対して押される時、処理される表面に物体を送ることに適した構造体であることは、理解されるであろう。
【００１４】
供給に際し、供給構造体はそれ自体の完全な状態を維持する。
【００１５】
有利には、本発明による装置は、自己収容型単一構造体を有しており、すなわちホースが容器に接続されていないか、または電気ケーブルが動力供給部に接続されておらず、PCT明細書WO 92/14435に記載されている装置とは異なる。
【００１６】
本発明において、任意の方向の磁界を発生させる、また発生させるのに適切な要素は、アプリケータ構造体の中心部の中に配置される。
【００１７】
物質が、供給のために使われる構造体に浸透する濃度は、構造体の質に依存し、それは例えばフロック加工の厚さに制限させ得る。
【００１８】
アプリケータが磁性を有していると、本発明はアプリケータの近くの微小循環を改善するので、それによって物質に含まれる一つ以上の活性薬品の浸透を高めることができる。
【００１９】
また本発明は、物質を供給するために使用する構造体内に、粒子が静止するので、それらが互いにダンプする恐れなく、磁粒を使用することができる。
【００２０】
磁界にさらすため、アプリケータに存在する物質が、補足的な特性を得て、例えばそれは極性を有することができ、浸透力を増加させることができる。
【００２１】
ワイパー部材が磁性を有するだけで、その様な補足的な特性が、ワイパー部材を介して通過する際に得ることができる。
【００２２】
好ましい実施例において、上記の構造体は、一つ以上の磁石及び／または磁気特性及び／または磁化特性を有する。
【００２３】
有利には、装置が容器を有し、アプリケータが物質を容器から得るために配置される。
【００２４】
特別な実施例では、アプリケータは、物質が供給を目的に使用される構造体に汲み上げることができるように、配置される。
【００２５】
別の特別な実施例において、物質を供給するため使用される構造体は、容器から出て、それを通過する物質を有するように、配置される。
【００２６】
また、別の特別な実施例では、物質を供給する構造体は、物質で予め充填され、その場合、アプリケータが、例えば無漏エンベロープに収容され、実際の例どおりに作用する。
【００２７】
有利には、物質を供給する構造体及び／または、ワイパー部材が、少なくとも部分的に孔がある。
【００２８】
好ましい実施例において、上記で説明した構造体及び／または、ワイパー部材は、全体的に孔がある。
【００２９】
物質の供給に使用される構造体及び／またはワイパー部材は、有利に以下のリストから選ばれた材料、すなわち発泡体、スポンジ、焼結ブロック、天然または人工繊維の集合、織物または不織物繊維の少なくとも一つ、或いはその様な材料の組み合わせにより作られる。
【００３０】
有利には、磁粒及び／または磁化可能粒が利用されており、それらはその様な材料を混入されて作られ、それによって磁粒及び／または磁化可能な粒を、前記材料の繊維またはセルと密に結合または接着させることができる。
【００３１】
これによって確実に、磁粒及び／または磁化可能な粒子が、物質を供給するため使用される構造体を構成する材料に固定するように保たれ、容器またはワイパー部材から漏れ出るリスクを冒すことなく、処理表面上に蓄積されて、不快の源になり得ない。
【００３２】
特別な実施例において、物質を供給するため使用される構造体及び／またはワイパー部材は、連続気泡を少なくとも10％有する発泡体またはスポンジから成る。
【００３３】
その様な構造体の厚さは、少なくとも2〜3ミリメートル例えば少なくとも5mmであり得る。
【００３４】
物質を供給するため使用される構造体及び／またはワイパー部材は、表面上に粗さを有し、そして／またはフロック加工してある。
【００３５】
有利には、物質の供給のため使用される構造体は、特にその上に材料を注入することまたは、熱シール或いは、接着によって、支持部に固定される。
【００３６】
そのような支持部は、ハンドルとして働くことができる。
【００３７】
支持部は、一つ以上の磁石及び／または一つ以上の磁粒を、例えば処理表面上に生じる磁界を強めるため、そして／または異なる方向の磁界を発生させるため、有する。
【００３８】
物質を供給するため作用する磁石及び／またはワイパー部材は、有利には実質的に同一の方法で、分散される粒子を含む。
【００３９】
前記材料を製造する間に粒子を、非磁化状態のワイパー部材及び／または物質を供給する構造体を作るために利用される材料に、混入することによって、粒子を、均一に分散させることができる。
【００４０】
物質を供給するため使用される構造体及び／またはワイパー部材は、0.2から80重量％の磁粒を有し得る。
【００４１】
物質を供給するため使用される構造体及び／またはワイパー部材は、複数の型式の多孔性材料の組み合わせであり、アプリケータに問えば領域間で変化する剛性を与えるように、表面に異なる処理をできる。それはアプリケータの部分が、その様な処理を行うために使用する機能を果たすからである。
【００４２】
物質を供給するため使用される構造体及び／またはワイパー部材は、異なる向きの磁界を起こすような方法で配置された、磁石及び／または磁粒を有する。
【００４３】
特に、互いに組立てられて、物質を供給するため使用される構造体またはワイパー部材を形成する、複数の多孔性材料が使用される時、磁粒及び／または磁石をそれらの各材料に混入して、任意の方向の磁界を生じさせること、及び種々の材料を組み合わせて、望ましい発生磁界を得ることができる。
【００４４】
使用される磁粒は、フェライト特に高い保磁界（coercive field）を有する強磁性フェライトであり得る。
【００４５】
また、粒子を磁化する磁界を発生させるために、磁石の付近に配置された常磁性体のフェライトを使用することもできる。
【００４６】
また本発明は、アプリケータまたは、アプリケータを拭くワイパー部材を製造する方法を備え、その方法は、
ａ）ワイパー部材またはアプリケータのアプリケータ構造体内の磁化可能な粒子を混入すること、
ｂ）前記構造体に任意の方向の磁界を少なくとも一つ発生させるために適切に、またはそれを前記構造体に発生させるために、前記粒子を磁界にさらすこと、
という段階から成ることを特徴とする。
【００４７】
磁化可能な粒子を磁化するための磁界は、アプリケータの一部を形成する磁石によって、発生させることができ、それによってアプリケータまたはワイパー部材を磁化物さらす必要がなくなる。
【００４８】
非磁化状態の粒子を多孔性構造体に導くことによって、粒子が磁性であるために、粒子が凝集するリスクに関する欠点は、避けることができる。
【実施例】
【００４９】
本発明による別の特徴及び利点は、制限のない実施例に関する以下の詳細な説明を読むこと、そして添付図面を参照することによって、明らかになるであろう。
【００５０】
図１は、収容及びアプリケータ装置１を示しており、装置は本体２を備え、そこにエアレスポンプ３を有している。このポンプ３は、本体２の内部で受けられる可撓バッグ４に収容された、物質Ｐ、化粧品またはケア製品をくみ上げるため、配置されている。
【００５１】
物質Ｐは、水状または油状であり得、活性薬、例えばヒドロゾルブルまたはリポゾルブルの薬品を収容することができる。
【００５２】
スライドカバー６が、本体２上に装着されている。カバー６は、外ネジ付のネック１０をその頂端部に有し、ネックの内部は上向きに開いて、実質的に半円球状の凹部９を有している。
【００５３】
また、収容及びアプリケータ装置１は、組立スカート１２を具備した閉鎖キャップ１１を備えるアプリケータ１４を有しており、組立スカートは、アプリケータ１３と共に、ネジ付ネック１０にネジ入れて配置される。アプリケータ構造体１３は、閉鎖キャップ１１の内側に固定され且つ、そこから下方へ突出して、肌に当てるのに適切な、連続気泡天然ゴム（ＮＲ）発泡体によって、構成されている。
【００５４】
閉鎖キャップ１１は、支持部として、及びハンドルとして働く。
【００５５】
その凹部９の底部には、カバー６が肩部７を具備した貫通オリフィスを有しており、それに対してポンプ３のロッド８が当接するようになっている。
【００５６】
閉鎖キャップ１１を適所に配置すると、ネジ付ネック１０と組立スカート１２は、共働して無漏状態で配置され、そしてアプリケータ１４が乾燥しないようになる。
【００５７】
アプリケータ構造体１３は、その大部分に、磁粒を含んでいる。
【００５８】
より好ましくは、アプリケータ構造体１３を構成する発泡体は、図２に示したような、実質的に均一な方法で、その物質中に分配された粒子１５を含んでいる。
【００５９】
その様な粒子１５は、例えばフェライト、特に相当量の残量磁気を保持することができる、亜鉛及びマンガンなどを基にしたフェライトのような、強磁性粒子によって、構成されている。
【００６０】
記載した例において、これら粒子１５は、ポリウレタンによる不活性コーティング（inert coating）で、被覆される。
【００６１】
別の例において、例えば、粒子を酸化から保護するため、粒子はエラストマー、エポキシ、ポリスター、ポリアミド、ユリアホルムアルデヒド樹脂または、シアノアクリレートで被覆されており、そして特にそれらが目立たないようにするため、アプリケータ構造体１３と同じ色である別の色をつける。
【００６２】
粒子１５は発泡体に、それを製造する間、採り入れられ、粒子は非磁化状態であり、それらは発泡体を製造する化学反応が終了した後、実質的に磁化される。
【００６３】
アプリケータ構造体１３を作るため、磁化可能な粒子を含む発泡体のスラブから開始することができる。
【００６４】
発泡体のスラブは、製造され且つ、アプリケータ構造体１３の形状にするため切り取りとられ、そして全体的に磁化することができる。
【００６５】
別の例では、発泡体のスラブは、磁化可能な粒子が磁化される前に、アプリケータ構造体１３の形に切り分けることができる。
【００６６】
そしてアプリケータ１４は、それが作られた後、個別に磁化される。
【００６７】
発泡体に存在する粒子１５が、磁界にさらすことによって磁化することができ、その磁界は、Technique et Materiel Magnetique（TE2M）による参照番号CE 500、PM 1000またはPM 2500に関して、カタログに記載された種類の磁化装置によって発生させられ、それらの磁化装置は、中間から高出力の装置であり、種々の部類と形状の磁石を、高率的に磁化することができる。
【００６８】
磁化した後、粒子１５は、磁化状態に依存して、任意の方向の磁界を発生させる、個別のユニット磁石の様に動く。
【００６９】
図３に示されたような、変形例において、アプリケータ１４´が使用されており、アプリケータ１４のアプリケータ構造体１３は、磁粒を含んだアプリケータ構造体１３´と、閉鎖キャップ１１´に固定された永久磁石１６に代わっており、閉鎖キャップ１１´は上記キャップ１１とは異なって、セットバック１７を有し、そこには磁石１６が固定されている。
【００７０】
磁石があることで、アプリケータ１４´によって加えられる磁界の強度が、それが上記例の様に磁粒１５を有する時、増すように作用する。
【００７１】
また磁石１６は、アプリケータ１３´に含まれる磁粒によって作られる磁界の方向とは異なる方向の磁界を発生させることができる。
【００７２】
別の実施例では、アプリケータ構造体１３´が、磁石１６のみによって生じさせられる磁界による、いかなる磁粒も含まない、アプリケータ構造体に取り替えられている。
【００７３】
他の実施例では、例えばこれらの粒子を磁化装置によって発生する磁化磁界にさらす必要をなくすため、アプリケータ構造体１３´が、磁石１６によって磁化される磁化可能な粒子を有するアプリケータ構造体に、代わっている。
【００７４】
磁石１６があるので、また常磁性体粒子及び／または、常磁性体粒子と／または強磁性体粒子とを組み合わせて使用することができる。
【００７５】
本発明は、フェライトを使用することに限定されるものではなく、Magacellの名称でCortex Biochemまたは、Dynabeadの名称でDynalによって市販されている種類の常磁性体粒子を使用することができる。
【００７６】
図１から図３の実施例において、アプリケータが、閉鎖キャップ１１または１１´がねじ入れていない間、膨張する発泡体により引き出される時の可能なポンプ効果及び、ポンプ３によって、物質に伝わる圧力の効果の下で、アプリケータ構造体１３または１３´が、物質で充填される。
【００７７】
本発明は、その型式のアプリケータに限定されるものではない。
【００７８】
図４は、収容及びアプリケータ装置２０を示しており、それは小型で、本体２１と、蝶番蓋２２と、摺動壁２９を有している。
【００７９】
本体２１が、物質Ｐの供給部をカップ２３を受ける凹部を有している。
【００８０】
カップ２３が、その頂部に膜２５を備えており、変形可能な底壁２７を有している。
【００８１】
変形壁２７に固定されたピストン２４が、カップ２３の内部を摺動することができる。
【００８２】
摺動壁２９を押すことによって、使用者がピストン２４を上方へ押し、物質を膜２５を介して放出させる。
【００８３】
スポンジによって構成されるアプリケータ２６が、蓋２２の内側で且つ、膜２５の上に受容される。
【００８４】
好ましくは、収容及びアプリケータ装置２０は、記載された例の様に、無漏状態でアプリケータ２６を保持する。
【００８５】
この目的のため、アプリケータ２６は、環状ビード２８に留められる周縁部を有しており、環状ビードは、装置２０を閉じる時に、ガスケットが蓋２２と本体上２１上に装着されるカバーとの間に挟み込まれて、シールガスケットを提供する。
【００８６】
従って、アプリケータ２６は蓋２２を閉めて、乾かないようにできる。
【００８７】
アプリケータ２６の中心領域は、物質で充填できるアプリケータ構造体を構成し、任意の方向に磁界を発生させるのに適する分散した磁粒が混入される。
【００８８】
変形例において、アプリケータ２６は、天然または人工繊維の集合体に代えられる。
【００８９】
図５は、外ネジ付ネック３２を具備する容器３１を備えた、分配及び収容装置３０を示している。
【００９０】
内部には、ネック３２が孔あき底壁３３を有している。
【００９１】
この分配及び収容装置３０は、アプリケータ構造体３５を備えたアプリケータを有しており、アプリケータ構造体は、ネック３２に合った閉鎖キャップも構成するハンドル３６によって、支持されている。
【００９２】
アプリケータ構造体３５は、部分的にキャップ３６の組立スカート３７に組み合わさって固定されている。
【００９３】
キャップ３６は、キャップ３６をネックにねじ入れる時、ネック３２の内側で無漏状態なって、取り付けられるような形状をしている。
【００９４】
アプリケータ構造体５２は、連続気泡ポリエチレン気泡体によって構成されており、それに分散した磁粒を混入する。
【００９５】
アプリケータ構造体３５は、毛細管により物質で充填することができる。
【００９６】
図６は、ネジ付ネック５１を有する可撓管５４を備えた分配及び収容装置５０を示しており、ネックは、連続気泡ポリエーテル発泡体のブロックによって構成された、アプリケータ構造体を有するアプリケータ５２を、内部に備えている。
【００９７】
アプリケータ５２は、磁粒を含む。
【００９８】
使用しない時、管５４は閉鎖キャップ５３によって、無漏状態となって閉じられる。
【００９９】
物質を放出するため、ユーザーは管５４をしぼる。
【０１００】
物質は、アプリケータ５３を介して放出される。管に入っている物質は見えるようになっている。
【０１０１】
変形例において、アプリケータ５２は焼結粒子のプラスチック（特にポリエチレン）材料、セラミック、金属、またはガラスに取り替えられ、その様な焼結ブロックは、全方向に互いに連絡する孔を有している。
【０１０２】
図７は、外ネジ付ネック６２を具備した容器６１を備える、収容及びアプリケータ装置６０を示している。
【０１０３】
連続ポリウレタン発泡体の軸線方向に割れたブロックによって構成される、ワイパー部材６３は、ネック６２の下の容器６１の内部で固定されている。
【０１０４】
容器６１は、ネック６２に閉鎖キャップ６５をねじ入れて閉じられる。
【０１０５】
閉鎖キャップ６５は、ネック６２の内部に無漏状態で適切に合わさる中心部分６６を有する。
【０１０６】
中心部分６６が、フロック加工アプリケータを端部に備えたストーク６４によって下方へ延びている。
【０１０７】
ワイパー部材６３は、容器６１から引き出す間、ストーク６４とアプリケータ６８を拭くために作用する。
【０１０８】
ワイパー部材６３は磁粒を有しており、アプリケータが容器６１から引き出される間、磁粒はアプリケータ６８を磁界にさらす。
【０１０９】
この磁界に対してさらす状態は、物質を変化させやすく、物質はワイパー部材を介して通過し、その変形は例えば、供給の瞬間に（一つ以上の）活性薬の浸透を高める。
【０１１０】
図８及び９は、剛性または半剛性プラスチック材料の支持部７１と、例えば支持部７１上でオーバーモールドされた、アプリケータ構造体７２とを備えた、アプリケータ７０を示しており、またアプリケータ構造体７２は、その表面上をフロック加工することができる。
【０１１１】
支持部７１は、永久磁石によって構成される、磁心７３を受けるために配置されている。
【０１１２】
変形例（図示しない）において、磁心７３は混入される磁粒、例えばフェライトを有する支持部７１の伸長部と取り替えられる。
【０１１３】
図８及び図９の例において、支持部７１がハンドルとして働く。
【０１１４】
別の例（図示せず）において、支持部７１は、図６の収容及びアプリケータ装置６０のストーク６４のようなストークに取り替えられる。
【０１１５】
図１０は、支持部８１と、多孔性材料例えば発泡体から作られたアプリケータ要素８２とを備えたアプリケータ８０を示しており、多孔性材料は磁粒、例えばフェライトを混入する。
【０１１６】
本発明は、アプリケータの特別な構造体に限定されるものではなく、特に供給を目的とした物質を保持する構造体に関して、例えば異なる磁気特性（図１１参照）を有する複数の層を成す、複合構造体の形にすることが可能であり、例えば、二つの層１０１及び１０２が頂層と底層を構成し、各磁粒１０３及び１０４を含み、且つ非磁性である多孔層１０５によって分けられている。
【０１１７】
図１１の多層構造体は、粒子１０３及び１０４によって作り出される磁界は方向が異なっているので、処理される表面を異なる方向の磁界にさらし、またアプリケータのスチフネスを変化させることができる。
【０１１８】
図１２は、収容及びアプリケータ装置１１０を示しており、それはローションのような物質を入れる管１１１を具備し、磁粒が混入される発泡体のブロックによって構成されたアプリケータ構造体１１２を成すアプリケータを備えている。
【０１１９】
装置１１１は、物質の供給部１１４をおおう閉鎖キャップ１１３を具備し、供給部は、管１１１に収容された物質に接触して段々に分配するすることができる。
【０１２０】
物質は、アプリケータ構造体１１２を介して送られ、その時に前記構造体内に存在する磁粒によって発生する磁界にさらされる。
【０１２１】
図１３は、従来使用されていたエンベロープ１２１に収納され且つ、例えばサンプルのように作用するアプリケータ１２０を示している。
【０１２２】
例示されたアプリケータ１２０は、磁粒１２３を含んだ連続発泡気泡体によって構成され且つ、物質がしみ込む。
【０１２３】
磁粒または磁石を使用することによって、本発明は、特に肌を酸素処理（oxy-genating）する際及び、物質が肌に供給される時の微小循環に、肌を磁界の作用にさらすことによって、有利な効果を発揮する。
【０１２４】
従って、供給物質に入っている活性薬の効力は、強められる。
【０１２５】
発生する（一つ以上の）磁界は、様々な方向を有することができ、特にＮ−Ｓ極性軸が、処理表面と垂直または平行にできる。
【０１２６】
アプリケータ構造体が供給の瞬間に、変形する時、そしてそれが磁粒を含む時、アプリケータ構造体を変形することにより、磁界の方向を変えることができる。
【図面の簡単な説明】
【０１２７】
【図１】本発明による第一実施例を構成する装置の軸線方向の概略断面図
【図２】図１のアプリケータの発泡体を示した拡大概略図
【図３】アプリケータの別の実施例を示した軸線方向の概略断面図
【図４】本発明による装置の別の実施例
【図５】本発明による装置の別の実施例
【図６】本発明による装置の別の実施例
【図７】本発明による装置の別の実施例
【図８】アプリケータを個別に、概略的な方法で示した図
【図９】図８の断面線IX-IXを介した断面図
【図１０】アプリケータの変形例を示した概略断面図
【図１１】本発明による変形用具を構成する多孔性構造体の拡大概略図
【図１２】本発明による装置の別の実施形例
【図１３】従来使用のエンベロープに具備されたアプリケータ
【符号の説明】
【０１２８】
１    収容及びアプリケータ装置
２    本体
３    ポンプ
４    バッグ
６    スライドカバー
７    肩部
８    ロッド
９    凹部
１０   外ねじ付ネック 
１１   閉鎖キャップ
１１´ 閉鎖キャップ
１２   組立スカート
１３   アプリケータ構造体
１３´ アプリケータ構造体／アプリケータ
１４   構造体／アプリケータ
１４´ 構造体／アプリケータ
１５   磁粒
１６   要素／永久磁石
１７   セットバック
２０   アプリケータ装置
２１   本体
２２   蝶番付け蓋
２３   カップ
２４   ピストン
２５   スクリーン
２６   構造体／アプリケータ
２７   底壁／変形壁
２８   環状ビード
２９   摺動壁
３０   分配及び収容装置
３１   容器
３２   外ねじ付ネック
３３   孔あき底壁
３５   構造体／アプリケータ構造体
３６   ハンドル／キャップ
３７   組立スカート
３８   シールスカート
５０   分配及び収容装置
５１   ねじ付ネック
５２   構造体／アプリケータ
５３   閉鎖キャップ
５４   管
６０   アプリケータ装置
６１   容器
６２   外ねじ付ネック
６３   ワイパー部材
６４   ストーク
６５   閉鎖キャップ
６６   中心部分
６８   アプリケータ
７０   アプリケータ
７１   支持部
７２   アプリケータ構造体
７３   磁心
８０   アプリケータ
８１   支持部
８２   構造部／アプリケータ要素
１０１ 多孔性材料／多孔層
１０２ 多孔性材料／多孔層
１０３ 磁粒
１０４ 磁粒
１０５ 多孔層
１１１ 装置／管
１１２ アプリケータ構造体
１１３ 閉鎖キャップ
１１４ 供給部
１２０ 構造体／アプリケータ
１２１ エンベロープ
１２３ 磁粒
Ｐ     物質
【図１】
2006297165.tif 000003
【図２】
2006297165.tif 000004
【図３】
2006297165.tif 000005
【図４】
2006297165.tif 000006
【図５】
2006297165.tif 000007
【図６】
2006297165.tif 000008
【図７】
2006297165.tif 000009
【図８】
2006297165.tif 000010
【図９】
2006297165.tif 000011
【図１０】
2006297165.tif 000012
【図１１】
2006297165.tif 000013
【図１２】
2006297165.tif 000014
【図１３】
2006297165.tif 000015